(57)【特許請求の範囲】
【請求項１】
制御モジュールと、複数の電源モジュールと、前記複数の電源モジュールを保持する保持部材と、を備え、
前記制御モジュールは、前記複数の電源モジュールを制御する制御信号を出力する制御回路における一群の第１電子部品と、前記一群の第１電子部品が実装された第１回路基板と、前記制御信号を出力可能な第１信号端子部と、を備え、
前記複数の電源モジュールの各々は、入力される交流電圧を所定の直流電圧に変換して出力する電源回路における一群の第２電子部品と、前記一群の第２電子部品が実装された第２回路基板と、それぞれ前記交流電圧を入力可能であり互いに電気的に接続された一対の電源端子部と、それぞれ前記制御信号を入力可能であり互いに電気的に接続された一対の第２信号端子部と、前記直流電圧を出力可能な負荷端子部と、を備え、
前記一対の電源端子部が、前記第２回路基板の表面において第１方向の一端側で前記第１方向に直交する第２方向の両端部に配置され、
前記一対の第２信号端子部が、前記第２回路基板の前記表面において前記第１方向の他端側で前記第２方向の両端部に配置されており、
前記保持部材は、前記第２回路基板の前記表面に沿った一平面上で前記第２方向に並んだ前記複数の電源モジュールを保持するように構成され、
前記複数の電源モジュールのうち隣り合う電源モジュールそれぞれの前記一対の電源端子部のうち互いに近接する電源端子部同士が電気的に接続され、
前記複数の電源モジュールのうち隣り合う電源モジュールそれぞれの前記一対の第２信号端子部のうち互いに近接する第２信号端子部同士が電気的に接続され、
前記複数の電源モジュールのうち１つの電源モジュールにおける前記一対の第２信号端子部の一方の第２信号端子部と前記制御モジュールの前記第１信号端子部とが電気的に接続されている、
ことを特徴とする電源装置。
【請求項２】
前記一対の第２信号端子部の各々が、前記制御モジュールを電気的且つ機械的に接続可能な接続部を備え、前記１つの電源モジュールと前記制御モジュールとが電気的に接続されている、
ことを特徴とする請求項１記載の電源装置。
【請求項３】
請求項１又は２記載の電源装置と、前記電源装置から出力される直流電圧により点灯する光源と、を備える、
ことを特徴とする照明装置。
【発明の詳細な説明】
【技術分野】
【０００１】
本発明は、複数の電源回路を備えた電源装置及びそれを用いた照明装置に関するものである。
【背景技術】
【０００２】
従来、照明器具としては、例えば、器具本体と、３つの灯具と、電源ブロックと、支持部材と、を備えた高天井用の照明器具が提案されている（特許文献１）。
【０００３】
電源ブロックは、６つの電源ユニットと、１つの制御ユニットと、３つの取付部材と、を備えている。
【０００４】
電源ユニットは、交流電源から供給される交流電力を直流電力に変換するための電源回路が、金属製のケースに収納されている。
【０００５】
電源ブロックの６つ電源ユニットは、ペアとなる２つの電源ユニットが、１つの取付部材における平板状の取付板に、それぞれ取り付けられている。
【０００６】
制御ユニットは、電源ブロックとは別の、金属製のケース内に、制御回路が収納されている。制御ユニットは、３つの取付部材のうちの１つの取付部材の天板に取り付けられている。
【０００７】
また、天井面等に吊り下げ方式で取り付けられる照明器具としては、例えば、反射セードと、本体ケースと、４つのランプと、４つの点灯装置と、を備えた照明器具が提案されている（特許文献２）。
【０００８】
特許文献２に記載された照明器具は、本体ケースに固定された四角筒状の点灯装置固定金具を備え、点灯装置固定金具の４つの固定面部に点灯装置が１つずつ固定されている。
【先行技術文献】
【特許文献】
【０００９】
【特許文献１】特開２０１４−８９８９２号公報
【特許文献２】特開２００３−３０３５１０号公報
【発明の概要】
【発明が解決しようとする課題】
【００１０】
電源装置の分野においては、更なる放熱性の向上が望まれる場合がある。しかしながら、上述の電源ブロックでは、取付板の表面と裏面に取り付けられた２つの電源ユニットそれぞれで発生した熱が、相互に影響を与えてしまう懸念がある。
【００１１】
また、特許文献２に記載された照明器具では、四角筒状の点灯装置固定金具の４つの固定面部に点灯装置が１つずつ固定されているので、組立作業が煩雑になる懸念がある。
【００１２】
本発明の目的は、放熱性及び組立性を向上させることが可能な電源装置及びそれを用いた照明装置を提供することにある。
【課題を解決するための手段】
【００１３】
本発明の電源装置は、制御モジュールと、複数の電源モジュールと、前記複数の電源モジュールを保持する保持部材と、を備える。前記制御モジュールは、前記複数の電源モジュールを制御する制御信号を出力する制御回路における一群の第１電子部品と、前記一群の第１電子部品が実装された第１回路基板と、前記制御信号を出力可能な第１信号端子部と、を備える。前記複数の電源モジュールの各々は、入力される交流電圧を所定の直流電圧に変換して出力する電源回路における一群の第２電子部品と、前記一群の第２電子部品が実装された第２回路基板と、それぞれ前記交流電圧を入力可能であり互いに電気的に接続された一対の電源端子部と、それぞれ前記制御信号を入力可能であり互いに電気的に接続された一対の第２信号端子部と、前記直流電圧を出力可能な負荷端子部と、を備える。前記複数の電源モジュールの各々は、前記一対の電源端子部が、前記第２回路基板の表面において第１方向の一端側で前記第１方向に直交する第２方向の両端部に配置されている。また、前記複数の電源モジュールの各々は、前記一対の第２信号端子部が、前記第２回路基板の前記表面において前記第１方向の他端側で前記第２方向の両端部に配置されている。前記保持部材は、前記第２回路基板の前記表面に沿った一平面上で前記第２方向に並んだ前記複数の電源モジュールを保持するように構成されている。本発明の電源装置は、前記複数の電源モジュールのうち隣り合う電源モジュールそれぞれの前記一対の電源端子部のうち互いに近接する電源端子部同士が電気的に接続されている。本発明の電源装置は、前記複数の電源モジュールのうち隣り合う電源モジュールそれぞれの前記一対の第２信号端子部のうち互いに近接する第２信号端子部同士が電気的に接続されている。本発明の電源装置は、前記複数の電源モジュールのうち１つの電源モジュールにおける前記一対の第２信号端子部の一方の第２信号端子部と前記制御モジュールの前記第１信号端子部とが電気的に接続されている。
【００１４】
本発明の照明装置は、前記電源装置と、前記電源装置から出力される直流電圧により点灯する光源と、を備える。
【発明の効果】
【００１５】
本発明の電源装置は、放熱性及び組立性を向上させることが可能となる。
【００１６】
本発明の照明装置は、放熱性及び組立性を向上させることが可能となる。
【図面の簡単な説明】
【００１７】
【図１】図１Ａは、実施形態１の電源装置の模式的な要部概略平面図である。図１Ｂは、図１ＡのＸ１−Ｘ１概略断面図である。図１Ｃは、図１ＡのＸ２−Ｘ２概略断面図である。図１Ｄは、図１ＡのＹ−Ｙ概略断面図である。
【図２】図２は、実施形態１における照明装置の概略構成図である。
【図３】図３は、実施形態１の電源装置における電源回路の概略回路図である。
【図４】図４は、実施形態１の電源装置における隣り合う電源端子部同士の接続方法の説明図である。
【図５】図５は、実施形態１の電源装置における隣り合う第２信号端子部同士の接続方法の説明図である。
【図６】図６Ａは、実施形態１の電源装置における第１接続部の他の構成例を示す概略斜視図である。図６Ｂは、実施形態１の電源装置における第２接続部の他の構成例を示す概略斜視図である。
【図７】図７Ａは、実施形態１の電源装置における第１接続部の他の構成例を示す概略斜視図である。図７Ｂは、実施形態１の電源装置における第２接続部の他の構成例を示す概略斜視図である。
【図８】図８Ａは、実施形態１の電源装置における一対の電源端子部の他の構成例を示す概略斜視図である。図８Ｂは、実施形態１の電源装置における一対の第２信号端子部の他の構成例を示す概略斜視図である。
【図９】図９Ａは、実施形態１の電源装置における一対の電源端子部同士の別の構成例を示す概略斜視図である。図９Ｂは、実施形態１の電源装置における一対の第２信号端子部の別の構成例を示す概略斜視図である。
【図１０】図１０は、実施形態１の電源装置の第１変形例の電源装置を示す模式的な要部概略平面図である。
【図１１】図１１Ａは、実施形態２の電源装置の模式的な要部概略平面図である。図１１Ｂは、図１１ＡのＸ−Ｘ概略断面図である。
【図１２】図１２は、実施形態３の電源装置の要部概略斜視図である。
【図１３】図１３は、実施形態３の電源装置における制御モジュールを取り外した状態の要部概略斜視図である。
【図１４】図１４は、実施形態３の電源装置における制御モジュールの概略斜視図である。
【図１５】図１５は、実施形態３の電源装置における第２接続部の他の構成例の説明図である。
【図１６】図１６は、実施形態３の電源装置の第１変形例の電源装置を示す要部概略斜視図である。
【図１７】図１７は、実施形態３の電源装置の第１変形例の電源装置における制御モジュールを取り外した状態の要部概略斜視図である。
【図１８】図１８は、実施形態３の電源装置の第２変形例の電源装置を示す要部概略斜視図である。
【図１９】図１９は、実施形態３の電源装置の第２変形例の電源装置における制御モジュールを取り外した状態の要部概略斜視図である。
【図２０】図２０は、実施形態３の電源装置の第２変形例の電源装置における制御モジュールの概略斜視図である。
【図２１】図２１は、実施形態３の電源装置の第３変形例の電源装置を示す要部概略分解斜視図である。
【発明を実施するための形態】
【００１８】
（実施形態１）
以下では、本実施形態の電源装置１ａについて、図１Ａ、１Ｂ、１Ｃ、１Ｄ及び２〜５に基づいて説明する。
【００１９】
電源装置１ａは、制御モジュール２と、複数の電源モジュール３と、複数の電源モジュール３を保持する保持部材４と、を備える。制御モジュール２は、複数の電源モジュール３を制御する制御信号を出力する制御回路２０における一群の第１電子部品（図示せず）と、一群の第１電子部品が実装された第１回路基板２１と、制御信号を出力可能な第１信号端子部２２と、を備える。複数の電源モジュール３の各々は、入力される交流電圧を所定の直流電圧に変換して出力する電源回路３１における一群の第２電子部品（図示せず）と、一群の第２電子部品が実装された第２回路基板３２と、を備える。複数の電源モジュール３の各々は、それぞれ交流電圧を入力可能であり互いに電気的に接続された一対の電源端子部３３と、それぞれ制御信号を入力可能であり互いに電気的に接続された一対の第２信号端子部３４と、を備える。また、複数の電源モジュール３の各々は、直流電圧を出力可能な負荷端子部３５を備える。また、複数の電源モジュール３の各々は、一対の電源端子部３３が、第２回路基板３２の表面３２ａにおいて第１方向Ｄ１の一端側で第１方向Ｄ１に直交する第２方向Ｄ２の両端部に配置されている。また、複数の電源モジュール３の各々は、一対の第２信号端子部３４が、第２回路基板３２の表面３２ａにおいて第１方向Ｄ１の他端側で第２方向Ｄ２の両端部に配置されている。保持部材４は、第２回路基板３２の表面３２ａに沿った一平面上で第２方向Ｄ２に並んだ複数の電源モジュール３を保持するように構成されている。電源装置１ａは、複数の電源モジュール３のうち隣り合う電源モジュール３それぞれの一対の電源端子部３３のうち互いに近接する電源端子部３３同士が電気的に接続されている。また、電源装置１ａは、複数の電源モジュール３のうち隣り合う電源モジュール３それぞれの一対の第２信号端子部３４のうち互いに近接する第２信号端子部３４同士が電気的に接続されている。また、電源装置１ａは、複数の電源モジュール３のうち１つの電源モジュール３における一対の第２信号端子部３４の一方の第２信号端子部３４と制御モジュール２の第１信号端子部２２とが電気的に接続されている。よって、電源装置１ａは、放熱性及び組立性を向上させることが可能となる。
【００２０】
電源装置１ａは、複数の電源モジュール３のうち隣り合う電源モジュール３同士を電気的に接続する第１接続部５（図１Ｂ参照）及び第２接続部６（図１Ｃ参照）を備えている。図１Ａ及び２では、第１接続部５と第２接続部６の図示を省略している。
【００２１】
第１接続部５は、隣り合う電源モジュール３それぞれの一対の電源端子部３３のうち互いに近接する電源端子部３３同士を電気的に接続するように構成されている。第２接続部６は、隣り合う電源モジュール３それぞれの一対の第２信号端子部３４のうち互いに近接する第２信号端子部３４同士を電気的に接続するように構成されている。
【００２２】
電源装置１ａを用いた照明装置１００は、例えば、図２に示すように、電源装置１ａと、電源装置１ａから出力される直流電圧により点灯する光源８０と、を備えている。よって、照明装置１００は、放熱性及び組立性を向上させることが可能となる。照明装置１００としては、例えば、屋外用の照明器具、屋内用の照明器具等が挙げられる。屋外用の照明器具としては、例えば、道路用照明器具や、トンネル用照明器具、投光器等が挙げられる。屋内用の照明器具としては、例えば、住宅に比べて天井が高い施設用の照明器具等が挙げられる。施設としては、例えば、体育館等が挙げられる。
【００２３】
光源８０は、電源装置１ａから出力される直流電圧が印加される負荷である。より詳細には、光源８０は、例えば、複数のＬＥＤ８１と、当該複数のＬＥＤ８１が実装された１つの実装基板（図示せず）と、を備えた構成とすることができる。ＬＥＤ８１は、１つのパッケージに１つのＬＥＤチップを収納した表面実装型の白色ＬＥＤにより構成してある。光源８０は、複数のＬＥＤ８１が直列接続された構成を備える。ＬＥＤ８１は、例えば、１つのパッケージに複数のＬＥＤチップを収納した表面実装型の白色ＬＥＤでもよい。光源８０は、複数のＬＥＤ８１が並列接続された構成や、複数のＬＥＤ８１が直並列接続された構成でもよい。また、複数のＬＥＤ８１は、白色ＬＥＤに限らず、例えば、白色光以外の光を発するＬＥＤであってもよいし、複数のＬＥＤ８１が異なる色を発してもよい。
【００２４】
電源装置１ａは、例えば、保持部材４における第２方向Ｄ２の一端部において、第１方向Ｄ１の一端側に電源入力部４５が配置され、第１方向Ｄ１の他端側に信号入力部４６が配置された構成とすることができる。電源入力部４５には、例えば、商用電源からなる交流電源９に接続された２本の電線９１を接続することができる。信号入力部４６には、例えば、制御モジュール２に接続された３本の信号線９２を接続することができる。
【００２５】
電源装置１ａの各構成要素については、以下に、より詳細に説明する。
【００２６】
制御モジュール２は、例えば、制御信号として、調光信号を出力するように構成することができる。制御モジュール２は、例えば、電源装置１ａの外部から入力される信号に応じて調光信号を出力する。調光信号は、電源回路３１に、光源８０を調光制御させるための信号である。制御モジュール２は、光源８０を連続調光するように構成してもよいし、光源８０を段調光するように構成してもよい。また、制御モジュール２は、光源８０の累積点灯時間に応じて調光信号を補正する機能を有する構成でもよい。
【００２７】
制御回路２０（以下、「第１制御回路２０」ともいう）は、一群の第１電子部品と、第１回路基板２１と、で構成することができる。
【００２８】
第１電子部品としては、例えば、チップ部品、リードタイプ電子部品等を採用することができる。
【００２９】
第１回路基板２１は、表面２１ａ側からみた平面視形状を、矩形（直角四辺形）状としてある。要するに、第１回路基板２１は、矩形板状に形成されている。矩形状の形状としては、長方形状を採用しているが、これに限らず、正方形状でもよい。第１回路基板２１は、プリント基板により形成することができる。
【００３０】
第１信号端子部２２は、第１制御回路２０からの制御信号を各電源モジュール３側へ出力する端子部である。第１信号端子部２２は、例えば、第１コネクタにより構成され、第１回路基板２１に実装されているのが好ましい。第１信号端子部２２は、第１回路基板２１の表面２１ａ側に配置されているのが好ましい。第１信号端子部２２は、３つの第１端子２２ａを備えている。第１信号端子部２２は、３つの第１端子２２ａが１つの第１保持体２２ｂに保持されている。第１端子２２ａは、導電性材料により形成されている。導電性材料としては、例えば、銅、ニッケル等を採用することができる。第１保持体２２ｂは、電気絶縁性材料により形成されている。電気絶縁性材料としては、例えば、電気絶縁性を有する樹脂や、電気絶縁性を有するセラミック等を採用することができる。
【００３１】
第１信号端子部２２は、第１保持体２２ｂが直方体状に形成されており、第１保持体２２ｂの長手方向が第１方向Ｄ１と平行になるように配置されている。これにより、第１信号端子部２２は、３つの第１端子２２ａが第１方向Ｄ１において離れて配置されている。
【００３２】
電源モジュール３は、一対の電源端子部３３に比較的高い電圧（例えば、１００Ｖ）が入力され、一対の第２信号端子部３４に比較的低い電圧（例えば、２０Ｖ以下）が入力される。要するに、電源回路３１は、一対の電源端子部３３が強電系の端子部であり、一対の第２信号端子部３４が弱電系の端子部である。
【００３３】
電源回路３１は、一群の第２電子部品と、第２回路基板３２と、で構成することができる。
【００３４】
第２電子部品としては、例えば、チップ部品、リードタイプ電子部品等を採用することができる。
【００３５】
電源回路３１は、例えば、図３に示すように、整流回路３２３（以下、「第１整流回路３２３」ともいう）と、昇圧チョッパ回路３２４と、降圧チョッパ回路３２５と、制御回路３２６（以下、「第２制御回路３２６」ともいう）と、を備える。電源回路３１は、更に、雑音防止回路３２１と、雷サージ保護回路３２２と、を備えるのが好ましい。また、電源回路３１は、更に、ＤＣ−ＤＣ変換回路３２９を備えた構成とすることができる。また、電源回路３１は、更に、整流回路３２８（以下、「第２整流回路３２８」ともいう）を備えた構成とすることができる。
【００３６】
第１整流回路３２３は、一対の入力端間に入力される交流電圧を全波整流する全波整流回路で構成されている。全波整流回路は、ダイオードブリッジ回路である。
【００３７】
昇圧チョッパ回路３２４は、第１整流回路３２３の一対の出力端間に接続されている。昇圧チョッパ回路３２４は、第１整流回路３２３から出力される直流電圧を昇圧するチョッパ回路である。昇圧チョッパ回路３２４は、全波整流された電圧の力率を改善する力率改善回路を構成する。
【００３８】
降圧チョッパ回路３２５は、昇圧チョッパ回路３２４の一対の出力端間に接続されている。降圧チョッパ回路３２５は、昇圧チョッパ回路３２４から出力される直流電圧を光源８０へ供給する直流電圧に降圧するチョッパ回路である。
【００３９】
第２制御回路３２６は、降圧チョッパ回路３２５を制御する回路であり、例えば、制御ＩＣ（Integrated Circuit）、マイクロコンピュータ等により構成することができる。なお、電源装置１ａは、第１信号端子部２２における３つの第１端子２２ａのうちの２つの第１端子２２ａを、制御信号を供給するために利用する。また、電源装置１ａは、これら２つの第１端子２２ａのうちグランド側の第１端子２２ａと、残りの第１端子２２ａと、を、第２制御回路３２６へ電源を供給するために利用することができる。
【００４０】
雑音防止回路３２１は、第１整流回路３２３の入力側に設けるフィルタ回路であり、例えば、チョークコイルを備えた１つのノイズフィルタにより構成することができる。
【００４１】
雷サージ保護回路３２２は、雷サージに起因した電源回路３１や光源８０の絶縁破壊を防止するための回路である。
【００４２】
ＤＣ−ＤＣ変換回路３２９は、調光信号であるＰＷＭ信号を、ＰＷＭ信号のデューティ比に比例した直流電圧信号に変換して出力する回路である。
【００４３】
第２制御回路３２６は、直流電圧信号のレベルに応じて光源８０が調光点灯されるように降圧チョッパ回路３２５を制御する回路である。要するに、第２制御回路３２６は、外部からの制御信号に基づいて生成された直流電圧信号のレベルに応じて降圧チョッパ回路３２５を制御する回路である。
【００４４】
第２整流回路３２８は、ＤＣ−ＤＣ変換回路３２９の前段に設ける全波整流回路であり、必要に応じて適宜設ければよい。
【００４５】
また、電源回路３１は、電源端子部３３から入力される交流電圧を整流平滑し、光源８０へ適切な直流電圧を供給でき、且つ、外部から入力される調光信号に応じて光源８０へ供給する電流の大きさを変化できる回路であればよく、図３の回路構成に限定されない。
【００４６】
第２回路基板３２は、表面３２ａ側からみた平面視形状を、矩形状としてある。要するに、第２回路基板３２は、矩形板状に形成されている。矩形状の形状としては、長方形状を採用しているが、これに限らず、正方形状でもよい。第２回路基板３２は、プリント基板により形成することができる。
【００４７】
第２回路基板３２は、第１方向Ｄ１の一端側で第２方向Ｄ２に沿って形成された２つの給電用配線３２ｃと、第１方向Ｄ１の他端側で第２方向Ｄ２に沿って形成された３つの信号用配線３２ｄと、を備えている。
【００４８】
給電用配線３２ｃは、例えば、プリント基板における絶縁基材の表面に形成された導体層により構成することができる。２つの給電用配線３２ｃのうち電源回路３１に近い側の給電用配線３２ｃと電源回路３１との間の接続配線３８ａは、例えば、プリント基板における絶縁基材の表面に形成された導体層により構成することができる。２つの給電用配線３２ｃのうち電源回路３１から遠い側の給電用配線３２ｃと電源回路３１との間の接続配線３８ｂは、例えば、プリント基板における絶縁基材の表面に形成された導体層と、絶縁基材の内部に形成された導体層と、で構成してもよい。この場合、プリント基板としては、多層基板を採用すればよい。接続配線３８ｂは、プリント基板における絶縁基材の表面に形成された導体層と、絶縁基材の裏面に形成された導体層と、絶縁基材の厚さ方向に沿って形成されたスルーホール配線と、で構成してもよい。この場合、プリント基板としては、例えば、両面プリント基板を採用すればよい。
【００４９】
信号用配線３２ｄは、例えば、給電用配線３２ｃと同様に形成することができる。
【００５０】
電源端子部３３は、例えば、第２コネクタにより構成され、第２回路基板３２に実装されているのが好ましい。電源端子部３３は、第２回路基板３２の表面３２ａ側に配置されているのが好ましい。電源端子部３３は、２つの第２端子３３ａを備えている。電源端子部３３は、２つの第２端子３３ａが１つの第２保持体３３ｂに保持されている。第２端子３３ａは、導電性材料により形成されている。第２保持体３３ｂは、電気絶縁性材料により形成されている。
【００５１】
電源端子部３３は、第２保持体３３ｂが直方体状に形成されており、第２保持体３３ｂの長手方向が第１方向Ｄ１と平行になるように配置されている。これにより、電源端子部３３は、２つの第２端子３３ａが第１方向Ｄ１において離れて配置されている。
【００５２】
電源端子部３３は、２つの第２端子３３ａそれぞれが互に異なる給電用配線３２ｃと電気的に接続されている。第２端子３３ａは、一部が、第２保持体３３ｂの表面から突出している。
【００５３】
第１接続部５は、例えば、図４に示すように、第２方向Ｄ２において近接する電源端子部３３同士を電気的に接続する第１接続器５０により構成することができる。第１接続器５０は、第２方向Ｄ２において近接する第２端子３３ａ同士を電気的に接続する２つの接続端子５１と、２つの接続端子５１を保持する１つの器体５２と、を備えている。接続端子５１は、２つの第２端子３３ａそれぞれが挿入され電気的に接続される。
【００５４】
第２信号端子部３４は、例えば、第３コネクタにより構成され、第２回路基板３２に実装されているのが好ましい。第２信号端子部３４は、第２回路基板３２の表面３２ａ側に配置されているのが好ましい。第２信号端子部３４は、３つの第３端子３４ａを備えている。第２信号端子部３４は、３つの第３端子３４ａが１つの第３保持体３４ｂに保持されている。第３端子３４ａは、導電性材料により形成されている。第３保持体３４ｂは、電気絶縁性材料により形成されている。
【００５５】
第２信号端子部３４は、第３保持体３４ｂが直方体状に形成されており、第３保持体３４ｂの長手方向が第１方向Ｄ１と平行になるように配置されている。これにより、第２信号端子部３４は、３つの第３端子３４ａが第１方向Ｄ１において離れて配置されている。
【００５６】
第２信号端子部３４は、３つ第３端子３４ａそれぞれが互に異なる信号用配線３２ｄと電気的に接続されている。
【００５７】
第２接続部６は、例えば、図５に示すように、第２方向Ｄ２において近接する第２信号端子部３４同士を電気的に接続する第２接続器６０により構成することができる。第２接続器６０は、第２方向Ｄ２において近接する第３端子３４ａ同士を電気的に接続する３つの接続端子６１と、３つの接続端子６１を保持する１つの器体６２と、を備えている。接続端子６１は、２つの第３端子３４ａそれぞれが挿入され電気的に接続される。
【００５８】
負荷端子部３５は、例えば、第４コネクタにより構成され、第２回路基板３２に実装されているのが好ましい。負荷端子部３５は、第２回路基板３２の表面３２ａ側に配置されているのが好ましい。負荷端子部３５は、２つの第４端子３５ａを備えている。第２信号端子部３４は、２つの第４端子３５ａが１つの第４保持体３５ｂに保持されている。第４端子３５ａは、導電性材料により形成されている。第４保持体３５ｂは、電気絶縁性材料により形成されている。
【００５９】
負荷端子部３５は、第４保持体３５ｂが直方体状に形成されており、第４保持体３５ｂの長手方向が第１方向Ｄ１と平行になるように配置されている。これにより、負荷端子部３５は、２つの第４端子３５ａが第１方向Ｄ１において離れて配置されている。
【００６０】
負荷端子部３５は、２つの第４端子３５ａのうちの一方の第４端子３５ａが電源回路３１の高電位側の出力端と電気的に接続され、他方の第４端子３５ａが電源回路３１の低電位側の出力端と電気的に接続されている。
【００６１】
負荷端子部３５には、例えば、図２に示すように、２本の電線９３により光源８０を接続することができる。各電線９３は、一端部が、負荷端子部３５に着脱自在な第５コネクタ（図示せず）に接続され、他端部が、光源８０に接続されているのが好ましい。なお、負荷端子部３５は、複数の光源８０を接続できるように構成してもよい。
【００６２】
保持部材４は、外周形状が長方形の平板状に形成されている。保持部材４の材料としては、例えば、金属を採用することができる。保持部材４の材料である金属としては、例えば、アルミニウムを採用することができる。保持部材４の材料としては、熱伝導率の高い金属が好ましく、アルミニウムに限らず、例えば、銅等を採用することもできる。また、保持部材４の材料である金属としては、ステンレス鋼等を採用することもできる。
【００６３】
保持部材４は、例えば、複数個の保持部材４を形成可能な板材から切り出して形成することができる。板材としては、幅が保持部材４の第１方向Ｄ１の長さに設定された長尺の金属板を採用することが可能となる。これにより、電源装置１ａの製造方法では、低コスト化を図ることが可能となる。また、電源装置１ａの製造方法では、電源モジュール３の個数の異なる複数の品種に容易に対応することが可能となる。
【００６４】
電源装置１ａは、複数の電源モジュール３が、保持部材４の長手方向において略間隔で並んで配置されているのが好ましい。保持部材４の長手方向は、第２方向Ｄ２に平行な方向である。隣り合う電源モジュール３間の距離は、例えば、２０ｍｍとすることができる。
【００６５】
電源モジュール３は、保持部材４に対して、例えば、２本の螺子３７により固定された構成とすることができる。電源モジュール３は、第２回路基板３２の４隅のうちの２か所に、螺子３７を通す貫通孔（図示せず）が形成されている。
【００６６】
電源装置１ａは、例えば、保持部材４に、電源モジュール３を位置決めする突起等を適宜設けることにより、組立時に、電源モジュール３の位置決めが容易になる。
【００６７】
電源装置１ａは、保持部材４が金属等により形成されている場合、電源モジュール３と保持部材４との間に配置された電気絶縁シート４３を備えるのが好ましい。これにより、電源装置１ａは、電源モジュール３における第２回路基板３２の裏面３２ｂと保持部材４との間に電気絶縁シート４３が配置されるので、電源モジュール３と保持部材４との間の電気絶縁性を向上させることが可能となる。電気絶縁シート４３は、例えば、電気絶縁性を有する熱伝導シートにより構成することができる。これにより、電源装置１ａは、電源モジュール３で発生した熱を保持部材４側へ効率良く伝熱させることが可能となり、電源モジュール３の温度上昇をより抑制することが可能となる。熱伝導シートとしては、例えば、シリコーン樹脂、アクリル樹脂、ポリオフィレン等の樹脂に、熱伝導性のフィラーを配合して熱伝導性を高めたシートを採用することができる。フィラーとしては、例えば、セラミックフィラーや金属フィラーを採用することができる。熱伝導シートは、フィラーとしてセラミックフィラーを採用することにより、金属フィラーを採用する場合に比べて、電気絶縁性を向上させることが可能となる。本明細書における熱伝導シートは、放熱シートと同等の意味である。
【００６８】
電源入力部４５は、例えば、図２に示すように、一対の電線９１と電源端子部３３とを電気的に接続できるように構成されている。電源入力部４５は、例えば、一対の電線９１を介して交流電源９と接続することができる。電源入力部４５は、第２方向Ｄ２において電源入力部４５に最も近い電源端子部３３と、第３接続部７（図１Ｂ参照）によって電気的に接続されている。よって、電源装置１ａは、電源入力部４５に入力される交流電圧が、各電源モジュール３それぞれの一対の電源端子部３３へ供給される。第３接続部７は、例えば、電源入力部４５と電源端子部３３とを電気的に接続する接続器により構成することができる。なお、図１Ａ及び２では、第３接続部７の図示を省略してある。
【００６９】
信号入力部４６は、複数の信号線９２と第２信号端子部３４とを電気的に接続できるように構成されている。信号入力部４６は、例えば、複数の信号線９２を介して制御モジュール２と接続することができる。信号入力部４６は、第２方向Ｄ２において信号入力部４６に最も近い第２信号端子部３４と、第４接続部８（図１Ｃ参照）によって電気的に接続されている。よって、電源装置１ａは、信号入力部４６に入力される制御信号が、各電源モジュール３それぞれの一対の第２信号端子部３４へ供給される。第４接続部８は、例えば、信号入力部４６と第２信号端子部３４とを電気的に接続する接続器により構成することができる。なお、図１Ａ及び２では、第４接続部８の図示を省略してある。
【００７０】
電源装置１ａは、保持部材４の第２方向Ｄ２における第１端部４１に電源入力部４５と、信号入力部４６と、が配置された構成とすることができる。より詳細には、電源装置１ａは、保持部材４の第２方向Ｄ２における第１端部４１で、第１方向Ｄ１の一端側に電源入力部４５が配置され、第１方向Ｄ１の他端側に信号入力部４６が配置されている。ここで、電源装置１ａは、電源入力部４５が、第１方向Ｄ１において電源モジュール３の一対の電源端子部３３と同じ一端側に配置され、信号入力部４６が、第１方向Ｄ１において電源モジュール３の一対の第２信号端子部３４と同じ他端側に配置されている。この場合、照明装置１００は、例えば、各電線９３を、保持部材４の第２方向Ｄ２における第２端部４２側から引き出した構成が望ましい。
【００７１】
電源装置１ａは、保持部材４が、接地用の構造（図示せず）を備えているのが好ましい。また、電源装置１ａは、各給電用配線３２ｃが、第２回路基板３２の一端側で第２回路基板３２の側縁近傍に形成され、各信号用配線３２ｄが、第２回路基板３２の他端側で第２回路基板３２の側縁近傍に形成されているのが好ましい。これにより、電源装置１ａは、対地間の浮遊容量のばらつきを抑制することが可能となる。よって、電源装置１ａは、外来ノイズに対する誤動作の発生を抑制することが可能となる。また、電源装置１ａは、電源回路３１で発生する高周波ノイズが給電用配線３２ｃや信号用配線３２ｄへ干渉するのを抑制することが可能となる。
【００７２】
電源装置１ａは、例えば、以下の組立方法で組み立てることができる。
【００７３】
電源装置１ａの組立方法では、第１ステップ、第２ステップ及び第３ステップを順次行う。
【００７４】
まず、第１ステップでは、保持部材４に各電源モジュール３を取り付ける。より詳細には、保持部材４の表面４ａ上に、電気絶縁シート４３を載せてから、電気絶縁シート４３上に電源モジュール３を載せる。そして、第１ステップでは、第２回路基板３２の表面側から第２回路基板３２の貫通孔に挿入した螺子３７を、保持部材４の螺子孔に嵌め合せる。
【００７５】
次に、第２ステップでは、互いに近接する電源端子部３３同士を第１接続部５により電気的に接続する。また、第２ステップでは、互いに近接する電源端子部３３と電源入力部４５とを第３接続部７により電気的に接続する。また、第２ステップでは、互いに近接する第２信号端子部３４同士を第２接続部６により電気的に接続する。また、第２ステップでは、互いに近接する第２信号端子部３４と信号入力部４６とを第４接続部８により電気的に接続する。
【００７６】
次に、第３ステップでは、信号入力部４６と制御モジュール２とを電気的に接続する。これにより、電源装置１ａが完成する。
【００７７】
電源装置１ａの組立方法では、第２ステップと第３ステップとの順番を逆にしてもよい。
【００７８】
電源装置１ａは、複数の電源モジュール３が１つの保持部材４に保持されているので、複数の電源モジュールを１つずつ別々のケースに収納した電源装置に比べて、組立性を向上させることが可能となる。
【００７９】
以上説明した電源装置１ａでは、保持部材４が、第２回路基板３２の表面３２ａに沿った一平面上で第２方向Ｄ２に並んだ複数の電源モジュール３を保持するので、放熱性を向上させることが可能となる。また、電源装置１ａは、電源端子部３３の一群と第２信号端子部３４の一群とが第１方向Ｄ１において離れて配置され、全ての電源端子部３３が一直線上に並ぶように配置され、全ての第２信号端子部３４が一直線上に並ぶように配置されている。そして、電源装置１ａは、第１接続部５により、隣り合う電源モジュール３の近接する電源端子部３３同士を電気的に接続できる。また、電源装置１ａは、第２接続部６により、隣り合う電源モジュール３の近接する第２信号端子部３４同士を電気的に接続することができる。よって、電源装置１ａは、結線作業の手間がかかるのを抑制することが可能となり、更に、誤結線の可能性を低減することも可能となるので、組立性を向上させることが可能となる。
【００８０】
また、電源装置１ａは、複数の電源モジュール３を一括して制御する制御モジュール２を備えているので、複数の電源モジュール３それぞれに、制御モジュール２における制御回路２０と同じ回路を設ける場合に比べて、低コスト化を図ることが可能となる。
【００８１】
また、電源装置１ａは、電気絶縁シート４３を設ける代わりに、例えば、電源モジュール３と保持部材４との間に、放熱用及び電気絶縁用の樹脂の硬化物が介在している構成としてもよい。この場合も、電源装置１ａは、放熱性及び電気絶縁性を向上させることが可能となる。放熱性及び電気絶縁性の樹脂としては、例えば、ウレタン樹脂等を採用することができる。
【００８２】
また、保持部材４の材料は、金属に限らず、例えば、樹脂でもよく、放熱性の観点から、熱伝導率のより高い樹脂が好ましい。保持部材４の材料の樹脂としては、例えば、熱伝導性のフィラーを配合して熱伝導性を高めた樹脂を採用することができる。また、保持部材４の材料は、セラミック等でもよい。また、保持部材４は、金属により形成された部分と樹脂により形成された部分とが混在していてもよい。
【００８３】
また、電源装置１ａは、保持部材４を一面に開口部を有する矩形箱状の形状として、保持部材４に複数の電源モジュール３等を収納し、保持部材４に対して、保持部材４の開口部を覆うカバーを取り付けた構成としてもよい。カバーの材料としては、例えば、金属を採用することができる。
【００８４】
また、上述の制御信号は、ＰＷＭ信号に限らず、例えば、ＤＣ信号、ＤＡＬＩ（Digital Addressable Lighting Interface）に準拠したデジタル信号、ＤＭＸ５１２に準拠したデジタル信号等でもよい。ＤＡＬＩは、国際規格のＩＥＣ６２３８６、ＩＥＣ６０９２９として認証されている。
【００８５】
第１接続部５は、図６Ａに示すように、２つの電源端子部３３それぞれに着脱自在に接続される２つのコネクタ５３と、これら２つのコネクタ５３同士を接続する２つの電線５４と、を備えた構成でもよい。また、第２接続部６は、図６Ｂに示すように、２つの第２信号端子部３４それぞれに着脱自在に接続される２つのコネクタ６３と、これら２つのコネクタ６３同士を接続する３つの信号線６４と、を備えた構成でもよい。
【００８６】
また、電源装置１ａは、第１接続部５を図７Ａに示すような形状としてもよい。また、電源装置１ａは、第２接続部６を図７Ｂに示すような形状としてもよい。
【００８７】
また、電源装置１ａは、図８Ａに示すように、一対の電源端子部３３の一方の電源端子部３３（３３１）を雄型のコネクタとし、他方の電源端子部３３（３３２）を雌型のコネクタとしてもよい。この場合、電源装置１ａは、第２方向Ｄ２において隣り合う電源モジュール３の電源端子部３３１、３３２同士を電気的且つ機械的に接続することが可能となる。
【００８８】
また、電源装置１ａは、図８Ｂに示すように、一対の第２信号端子部３４の一方の第２信号端子部３４（３４１）を雄型のコネクタとし、他方の第２信号端子部３４（３４２）を雌型のコネクタとしてもよい。この場合、電源装置１ａは、第２方向Ｄ２において隣り合う電源モジュール３の第２信号端子部３４１、３４２同士を電気的且つ機械的に接続することが可能となる。
【００８９】
また、電源装置１ａは、図９Ａに示すように、一方の電源端子部３３（３３１）にロック用の凹部３３１ａを設け、他方の電源端子部３３（３３２）にロック用の凸部３３２ａを設けた構成としてもよい。この場合、電源装置１ａは、電源端子部３３１、３３２同士の機械的な接続強度を高めることが可能となる。
【００９０】
また、電源装置１ａは、図９Ｂに示すように、一対の第２信号端子部３４（３４１）にロック用の凹部３４１ａを設け、他方の第２信号端子部３４（３４２）にロック用の凸部３４２ａを設けた構成としてもよい。この場合、電源装置１ａは、第２信号端子部３４１、３４２同士の機械的な接続強度を高めることが可能となる。
【００９１】
また、電源端子部３３の第２端子３３ａは、第２保持体３３ｂの表面から突出する形状ではなく、第２保持体３３ｂに差し込まれた電線を保持する速結端子でもよい。速結端子は、導電板により形成された板ばねのばね力によって電線を保持するように構成される。
【００９２】
図１０は、第１変形例の電源装置１ｂを示す。第１変形例の電源装置１ｂは、電源入力部４５及び信号入力部４６それぞれを２つずつ備えている点が実施形態の電源装置１ａと相違する。なお、第１変形例の電源装置１ｂについては、実施形態の電源装置１ａと同様の構成要素には同一の符号を付して説明を省略する。また、図１０は、第１接続部５（図１Ｂ参照）、第２接続部６（図１Ｃ参照）、第３接続部７（図１Ｂ参照）及び第４接続部８（図１Ｃ参照）の図示を省略してある。
【００９３】
第１変形例の電源装置１ｂは、保持部材４の長手方向の第１端部４１と第２端部４２との両方に、電源入力部４５及び信号入力部４６が配置されている。
【００９４】
また、第１変形例の電源装置１ｂにおける電源モジュール３は、一対の電源端子部３３同士を電気的に接続する２つの給電用配線３２ｃのうち一方の給電用配線３２ｃの両端部にヒューズ１３を設けてある。
【００９５】
第１変形例の電源装置１ｂでは、照明器具の器具本体等への取り付ける際の配置の自由度を高くすることが可能となる。
【００９６】
（実施形態２）
以下では、本実施形態の電源装置１ｃについて、図１１Ａ及び１１Ｂに基づいて説明する。
【００９７】
本実施形態の電源装置１ｃは、保持部材４が、複数の電源モジュール３に加えて制御モジュール２を保持するように構成されている点で実施形態１の電源装置１ａと相違する。なお、本実施形態の電源装置１ｃは、実施形態１の電源装置１ａと略同じ構成なので、実施形態１の電源装置１ａと同様の構成要素には同一の符号を付して説明を省略する。また、図１１Ａは、第１接続部５（図１Ｂ参照）、第２接続部６（図１Ｃ参照）、第３接続部７（図１Ｂ参照）及び第４接続部８（図１Ｃ参照）の図示を省略してある。
【００９８】
電源装置１ｃは、複数の電源モジュール３のうち制御モジュール２に最も近い電源モジュール３と制御モジュール２とを電気的に接続する第５接続部１０を備える。第５接続部１０は、一対の第２信号端子部３４のうち第１信号端子部２２に近い第２信号端子部３４と第１信号端子部２２とを電気的に接続するように構成されている。よって、電源装置１ｃは、制御モジュール２が保持部材４に保持されていない場合に比べて、取り扱いが容易になる。
【００９９】
第５接続部１０は、複数の電源モジュール３のうち制御モジュール２に最も近い電源モジュール３と制御モジュール２とを電気的且つ機械的に接続するコネクタにより構成されているのが好ましい。これにより、電源装置１ｃは、電源モジュール３と制御モジュール２との相対的な位置精度を向上させることが可能となる。
【０１００】
（実施形態３）
図１２は、実施形態３の電源装置１ｄの要部概略斜視図である。実施形態３の電源装置１ｄは、図１２及び１３に示すように、第２信号端子部３４が、送り端子部３４５と、拡張端子部３４６と、を備えている。なお、本実施形態の電源装置１ｄの他の構成は、実施形態１の電源装置１ａと同じ構成である。
【０１０１】
送り端子部３４５は、３つの信号線用配線３２ｄ（図１Ａ参照）それぞれに電気的に接続される３つの送り端子（図示せず）と、これら３つの送り端子を保持する直方体状の器体３４５ｂと、を備えている。また、拡張端子部３４６は、３つの信号線用配線３２ｄそれぞれに電気的に接続される３つの拡張端子（図示せず）と、これら３つの拡張端子を保持する直方体状の器体３４６ｂと、を備えている。よって、第２信号端子部３４は、送り端子部３４５と拡張端子部３４６とが電気的に接続されている。
【０１０２】
電源装置１ｄは、近接する第２信号端子部３４の送り端子部３４５同士が、第２接続部６により電気的に接続されている。そして、電源装置１ｄは、いずれか１つの第２信号端子部３４の拡張端子部３４６に制御モジュール２を電気的且つ機械的に接続できるように構成されている。ここで、制御モジュール２は、例えば、図１４に示すような直方体状のケース２５を備え、ケース２５内に、一群の第１電子部品と第１回路基板２１とが収納された構成とすることができる。制御モジュール２は、３つの第１端子２２ａが、拡張端子部３４６の３つの拡張端子それぞれに電気的に接続されるように、ケース２５の一面から突出している。
【０１０３】
ところで、実施形態２の電源装置１ｃでは、保持部材４に制御モジュール２を保持する必要があるので、照明器具の器具本体に取り付けて使用する場合に、予め想定した形状の器具本体にしか取り付けることができないことも考えられる。
【０１０４】
これに対して、本実施形態の電源装置１ｄは、複数の電源モジュール３それぞれに２つずつある拡張端子部３４６のいずれか１つに制御モジュール２を接続すればよいから、取り付け可能な器具本体の形状の自由度を高めることが可能となる。
【０１０５】
本実施形態の電源装置１ｄでは、拡張端子部３４６が、制御モジュール２を電気的且つ機械的に接続可能な接続部を構成している。要するに、本実施形態の電源装置１ｄは、一対の第２信号端子部３４の各々が、制御モジュール２を電気的且つ機械的に接続可能な接続部を備え、１つの電源モジュール３と制御モジュール２とが電気的且つ機械的に接続されている。これにより、電源装置１ｄは、複数の電源モジュール３それぞれに２つずつある接続部のいずれか１つに制御モジュール２を接続すればよいから、取り付け可能な器具本体の形状の自由度を高めることが可能となる。
【０１０６】
なお、第２接続部６としては、図１５に示すような形状を採用してもよい。
【０１０７】
制御モジュール２は、例えば、人感センサ、明るさセンサ、無線通信装置、タイマ等の機能装置を備えた構成として、機能装置の出力に基づいて制御信号を生成するようにしてもよい。人感センサは、検知エリア内の人を検知するセンサである。人感センサとしては、例えば、焦電形赤外線検出素子と、この焦電形赤外線検出素子の出力信号を信号処理するＩＣ素子と、を備えた赤外線センサを採用することができる。
【０１０８】
明るさセンサは、周囲の明るさを検知するセンサである。明るさセンサとしては、例えば、フォトダイオードと、このフォトダイオードの出力電流を電流−電圧変換する電流電圧変換回路と、を備えた構成を採用することができる。
【０１０９】
図１６は、第１変形例の電源装置１ｅの要部概略斜視図である。第１変形例の電源装置１ｅは、図１６及び１７に示すように、第２信号端子部３４が、送り端子部３４５と、拡張端子部３４６と、を備えている。第１変形例の電源装置１ｅは、実施形態３の電源装置１ｄと比べて、拡張端子部３４６の配置が相違する。また、第２接続部６は、信号線６４ごとに２つのコネクタ６３ｂが設けられている点が相違する。コネクタ６３ｂは、第２信号端子部３４の３つの第３端子３４ａ（図１Ａ参照）のうちの１つの第３端子３４ａに着脱自在に接続される。
【０１１０】
図１８は、第２変形例の電源装置１ｆの要部概略斜視図である。第２変形例の電源装置１ｆは、図１８及び１９に示すように、第２信号端子部３４が、送り端子部３４５と、拡張端子部３４６と、を備えている。第２変形例の電源装置１ｆは、実施形態３の電源装置１ｄと比べて、拡張端子部３４６の配置が相違し、図２０に示すように、制御モジュール２の形状が相違するだけである。第２変形例の電源装置１ｆにおける拡張端子部３４６は、第１方向Ｄ１において電源モジュール３の側方から制御モジュール２を取り付けることができるように配置されている。
【０１１１】
図２１は、第３変形例の電源装置１ｇの要部概略分解斜視図である。第３変形例の電源装置１ｇは、第２信号端子部３４が、送り端子部３４５と、拡張端子部３４６と、を備えている。第３変形例の電源装置１ｇは、実施形態３の電源装置１ｄと比べて、拡張端子部３４６の配置が相違するだけである。第３変形例の電源装置１ｇにおける第２信号端子部３４では、送り端子部３４５の送り端子と拡張端子部３４６の拡張端子とを一体に形成してある。
【０１１２】
ところで、実施形態１において説明した照明装置１００（図２参照）は、電源装置１ａの代わりに、他の電源装置１ｂ、１ｃ、１ｄ、１ｅ、１ｆ及び１ｇのいずれかを採用してもよい。
【０１１３】
上述の実施形態１〜３等において説明した各図は、模式的な図であり、各構成要素の大きさや厚さそれぞれの比が、必ずしも実際の寸法比を反映しているとは限らない。また、実施形態等に記載した材料、数値等は、好ましい例を挙げているだけであり、それに限定する主旨ではない。更に、本願発明は、その技術的思想の範囲を逸脱しない範囲で、構成に適宜変更を加えることが可能である。
【符号の説明】
【０１１４】
１ａ、１ｂ、１ｃ、１ｄ、１ｅ、１ｆ、１ｇ  電源装置
２  制御モジュール
３  電源モジュール
４  保持部材
２０  制御回路
２１  第１回路基板
２２  第１信号端子部
３１  電源回路
３２  第２回路基板
３２ａ  表面
３３  電源端子部
３４  第２信号端子部
３５  負荷端子部
８０  光源
１００  照明装置
３４６  拡張端子部（接続部）
【図１】
0006655806.tif 000002
【図２】
0006655806.tif 000003
【図３】
0006655806.tif 000004
【図４】
0006655806.tif 000005
【図５】
0006655806.tif 000006
【図６】
0006655806.tif 000007
【図７】
0006655806.tif 000008
【図８】
0006655806.tif 000009
【図９】
0006655806.tif 000010
【図１０】
0006655806.tif 000011
【図１１】
0006655806.tif 000012
【図１２】
0006655806.tif 000013
【図１３】
0006655806.tif 000014
【図１４】
0006655806.tif 000015
【図１５】
0006655806.tif 000016
【図１６】
0006655806.tif 000017
【図１７】
0006655806.tif 000018
【図１８】
0006655806.tif 000019
【図１９】
0006655806.tif 000020
【図２０】
0006655806.tif 000021
【図２１】
0006655806.tif 000022